(57)【要約】【課題】低廉かつ簡素な構造で片麻痺側上下肢の重心を内側に移動させて歩行を安定させることができる片麻痺者用履物装着具または片麻痺者用履物を提供する。【解決手段】片麻痺者用履物１は、底部２外側下面２ａにおいて長手方向に沿って配され、底部２が短手方向の内側から外側に向かって徐々に高くなるように形成された傾斜部３を有している。このため、片麻痺者は、片麻痺側上下肢の重心を内側に移動させて、より安定して歩行または歩行訓練を行うことができる。【選択図】図３
0003229858.tif 000002
【実用新案登録請求の範囲】
【請求項１】
片麻痺者の履物の底部外側下面に装着される片麻痺者用履物装着具であって、該片麻痺者用履物装着具は、前記履物の長手方向に沿って配され、短手方向の内側から外側に向かって徐々に高く形成された長尺状体にて構成されていることを特徴とする片麻痺者用履物装着具。
【請求項２】
前記長尺状体は、一面側に接着層と、該接着層を被覆した剥離層とを有している請求項１に記載の片麻痺者用履物装着具。
【請求項３】
底部外側下面において長手方向に沿って配され、前記底部が短手方向の内側から外側に向かって徐々に高くなるように形成された傾斜部を有することを特徴とする片麻痺者用履物。
【請求項４】
前記傾斜部は、短手方向の中央付近から外側に向かって徐々に高くなるように形成されている請求項３に記載の片麻痺者用履物
【請求項５】
前記片麻痺者用履物は、運動靴である請求項３または４に記載した片麻痺者用履物。
【請求項６】
片麻痺者の履物の底部内側上面に装着される片麻痺者用履物装着具であって、該片麻痺者用履物装着具は、前記履物の長手方向に沿って配され、短手方向の内側から外側に向かって徐々に高く形成された長尺状体にて構成されていることを特徴とする片麻痺者用履物装着具。
【請求項７】
前記長尺状体は、一面側に接着層と、該接着層を被覆した剥離層とを有している請求項５に記載の片麻痺者用履物装着具。
【請求項８】
底部内側上面において長手方向に沿って配され、前記底部が短手方向の内側から外側に向かって徐々に高くなるように形成された傾斜部を有することを特徴とする片麻痺者用履物。
【請求項９】
前記傾斜部は、短手方向の中央付近から外側に向かって徐々に高くなるように形成されている請求項８に記載の片麻痺者用履物
【請求項１０】
前記片麻痺者用履物は、運動靴である請求項８または９に記載した片麻痺者用履物。
【考案の詳細な説明】
【技術分野】
【０００１】
本考案は、脳卒中などにより片麻痺が生じた人が歩行用または歩行訓練用に使用して好適な片麻痺者用履物装着具または片麻痺者用履物に関するものである。
【背景技術】
【０００２】
脳卒中などにより片麻痺が生じた片麻痺者は、尖足、内反足、外反足或いは下垂足などにより、歩行が安定せず転倒し易く、捻挫等怪我も起こし易い。このため、従来より、長・短下肢装具（例えば、特開２００６−２３９３６１号公報）などを装着して歩行または歩行訓練を行っている。また、片麻痺者の歩行を補助する簡易装具として、歩行補助ベルトの足部吊り具（実開平６−１９７２５号公報）、靴型装具（特開２００７−３１３０５３号公報）などが種々提案されている。
【０００３】
しかし、前者の長・短下肢装具は装具が大掛りとなり高価なものとなり、後者の簡易装具は低廉でそれなりの効果を奏するが、歩行の安定性の観点からは十分ではなかった。
【先行技術文献】
【特許文献】
【０００４】
【特許文献１】特開２００６−２３９３６１号公報
【特許文献２】実開平６−１９７２５号公報
【特許文献３】特開２００７−３１３０５３号公報
【考案の概要】
【考案が解決しようとする課題】
【０００５】
そこで、本考案の課題は、低廉かつ簡素な構造で片麻痺側上下肢の重心を内側に移動させて歩行を安定させることができる片麻痺者用履物装着具または片麻痺者用履物を提供することにある。
【課題を解決するための手段】
【０００６】
上記課題を解決するものは、片麻痺者の履物の底部外側下面に装着される片麻痺者用履物装着具であって、該片麻痺者用履物装着具は、前記履物の長手方向に沿って配され、短手方向の内側から外側に向かって徐々に高く形成された長尺状体にて構成されていることを特徴とする片麻痺者用履物装着具である（請求項１）。前記長尺状体は、一面側に接着層と、該接着層を被覆した剥離層とを有していることが好ましい（請求項２）。
【０００７】
また、上記課題を解決するものは、底部外側下面において長手方向に沿って配され、前記底部が短手方向の内側から外側に向かって徐々に高くなるように形成された傾斜部を有することを特徴とする片麻痺者用履物である（請求項３）。前記傾斜部は、短手方向の中央付近から外側に向かって徐々に高くなるように形成されていることが好ましい（請求項４）前記片麻痺者用履物は、運動靴であることが好ましい（請求項５）。
【０００８】
さらに、上記課題を解決するものは、片麻痺者の履物の底部内側上面に装着される片麻痺者用履物装着具であって、該片麻痺者用履物装着具は、前記履物の長手方向に沿って配され、短手方向の内側から外側に向かって徐々に高く形成された長尺状体にて構成されていることを特徴とする片麻痺者用履物装着具である（請求項６）。前記長尺状体は、一面側に接着層と、該接着層を被覆した剥離層とを有していることが好ましい（請求項７）。
【０００９】
さらに、上記課題を解決するものは、底部内側上面において長手方向に沿って配され、前記底部が短手方向の内側から外側に向かって徐々に高くなるように形成された傾斜部を有することを特徴とする片麻痺者用履物である（請求項８）。前記傾斜部は、短手方向の中央付近から外側に向かって徐々に高くなるように形成されていることが好ましい（請求項９）。前記片麻痺者用履物は、運動靴であることが好ましい（請求項１０）。
【考案の効果】
【００１０】
請求項１に記載した片麻痺者用履物装着具によれば、低廉かつ簡素な構造で片麻痺側上下肢の重心を内側に移動させて歩行を安定させることができる。
請求項２に記載した片麻痺者用履物装着具によれば、上記請求項１の考案の効果に加え、既存の履物に容易に装着することができる。
請求項３に記載した片麻痺者用履物によれば、低廉かつ簡素な構造で片麻痺側上下肢の重心を内側に移動させて歩行を安定させることができる。
請求項４に記載した片麻痺者用履物によれば、片麻痺側上下肢の重心をより安定的に内側に移動させて歩行することができる。
請求項５に記載した片麻痺者用履物によれば、より安定して歩行または歩行訓練を行うことができる。
請求項６に記載した片麻痺者用履物装着具によれば、低廉かつ簡素な構造で片麻痺側上下肢の重心を内側に移動させて歩行を安定させることができる。
請求項７に記載した片麻痺者用履物装着具によれば、上記請求項５の考案の効果に加え、既存の履物に容易に装着することができる。
請求項８に記載した片麻痺者用履物によれば、低廉かつ簡素な構造で片麻痺側上下肢の重心を内側に移動させて歩行を安定させることができる。
請求項９に記載した片麻痺者用履物によれば、片麻痺側上下肢の重心をより安定的に内側に移動させて歩行することができる。
請求項１０に記載した片麻痺者用履物によれば、より安定して歩行または歩行訓練を行うことができる。
【図面の簡単な説明】
【００１１】
【図１】本考案の片麻痺者用履物装着具の一実施例を装着した履物（本考案の片麻痺者用履物の一実施例）を底部下面側から視た平面概略図である。
【図２】図１のＡ−Ａ線端面概略図である。
【図３】図１に示した片麻痺者用履物装着具を装着した履物（本考案の片麻痺者用履物）の使用状態を説明するための説明図である。
【図４】図１に示した片麻痺者用履物装着具の平面図である。
【図５】図４のＢ−Ｂ線断面図である。
【図６】本考案の片麻痺者用履物装着具の他の実施例を装着した履物（本考案の片麻痺者用履物の他の実施例）を底部上面側から視た平面概略図である。
【図７】図６のＣ−Ｃ線端面概略図である。
【図８】図６に示した片麻痺者用履物装着具を装着した履物（本考案の片麻痺者用履物）の使用状態を説明するための説明図である。
【図９】図６に示した片麻痺者用履物装着具の平面図である。
【図１０】図９のＤ−Ｄ線断面図である。
【考案を実施するための形態】
【００１２】
本考案では、底部２外側下面２ａにおいて長手方向に沿って配され、底部２が短手方向の内側から外側に向かって徐々に高くなるように形成された傾斜部３を有することで、低廉かつ簡素な構造で片麻痺側上下肢の重心を内側に移動させて歩行を安定させることができる片麻痺者用履物１を実現した。
【実施例１】
【００１３】
本考案の片麻痺者用履物を図１ないし図５に示した一実施例を用いて説明する。
この実施例の片麻痺者用履物１は、底部２外側下面２ａにおいて長手方向に沿って配され、底部２が短手方向の内側から外側に向かって徐々に高くなるように形成された傾斜部３を有している。以下、各構成について順次詳述する。
【００１４】
この実施例の片麻痺者用履物１は運動靴であり、装具の機能と靴の機能とを合わせ持つものである。また、この実施例の片麻痺者用履物１は左足用であり、右足用はこれと左右対称に構成される。
【００１５】
なお、この実施例の片麻痺者用履物１は運動靴であるが、本考案の片麻痺者用履物はこれに限定されるものではなく、履物であればどのようなものも本考案の範疇に包含される。ただし、歩行をより安定させるためには運動靴がより好ましい。
【００１６】
片麻痺者用履物を形成する材料としては、どのようなものでもよいが、布、ゴム・合成樹脂、革、さらにはこれらを組み合わせたもの等が好適に使用できる。
【００１７】
そして、本考案の片麻痺者用履物１の特徴は、図１ないし図３に示すように、底部２外側下面２ａにおいて長手方向（履物の長さ方向）に沿って配され、底部２が短手方向（履物の幅方向）の内側から外側に向かって徐々に高くなるように形成された傾斜部３を有する点である。この傾斜部３の存在により、図３に示すように、片麻痺側上下肢Ｍの重心を内側に移動させることができ、これにより歩行をより安定させることができるように構成されている。
【００１８】
この実施例の片麻痺者用履物１における傾斜部３は、図４または図５に示した片麻痺者用履物装着具４により構成されている。片麻痺者用履物装着具４は、図１または図２に示すように、片麻痺者用履物１の底部２外側下面２ａに装着される片麻痺者用履物装着具であって、片麻痺者用履物１の長手方向（履物の長さ方向）に沿って配され、短手方向（履物の幅方向）の内側から外側に向かって徐々に高く形成された長尺状体（装着具本体部４ａ）にて構成されている。
【００１９】
具体的には、この実施例の片麻痺者用履物１における傾斜部３は、片麻痺者用履物装着具４の剥離層４ｃが、短手方向（履物の幅方向）の内側から外側に向かって徐々に高く形成された長尺状体（装着具本体部４ａ）から剥離されて、装着具本体部４ａの一面側に接着層４ｂが露呈した状態で、片麻痺者用履物１の底部２外側下面２ａに装着（固着）されることにより構成されている。
【００２０】
ただし、本考案の片麻痺者用履物における傾斜部は、これに限定されるものではなく、片麻痺者用履物の底部外側下面側において、底部に一体成形されると共に、片麻痺者用履物１の長手方向（履物の長さ方向）に沿って配され、短手方向（履物の幅方向）の内側から外側に向かって徐々に高く形成された傾斜部が設けられたものであってもよい。また、上記実施例の片麻痺者用履物における傾斜部は、短手方向（履物の幅方向）の中央付近から外側に向かって徐々に高く形成された傾斜部にて構成されているが、これに限定されるものではなく、短手方向（履物の幅方向）の内側の端部付近から外側の端部付近に向かって徐々に高く形成された傾斜部にて構成されたものも本考案の範疇に包含される。
【００２１】
さらに、本考案の片麻痺者用履物における傾斜部は、上記実施例に限定されるものではなく、例えば、傾斜部が長手方向（履物の長さ方向）に複数分割されたものも本考案の範疇に包含される。
【００２２】
さらに、本考案の片麻痺者用履物装着具１は、片麻痺者用履物１の底部２外側下面２ａに接着剤層４ｂにより固着するものであるが、装着方法（固定方法）はこれに限定されるものではなく、例えばビス止めやネジ部材により固定されるものも本考案の範疇に広く包含される。
【００２３】
さらに、傾斜部（片麻痺者用履物装着具４）の形成材料としては、片麻痺者用履物と同様、どのようなものでもよいが、布、ゴム・合成樹脂、革、さらにはこれらを組み合わせたもの等が好適に使用できる。
【００２４】
つぎに、図６ないし図１０に示した本考案の他の実施例の片麻痺者用履物１１について説明する。
この実施例の片麻痺者用履物１１は、底部１２内側上面１２ａにおいて長手方向に沿って配され、底部１２が短手方向の内側から外側に向かって徐々に高くなるように形成された傾斜部１３を有している。以下、各構成について順次詳述する。
【００２５】
この実施例の片麻痺者用履物１１は運動靴であり、装具の機能と靴の機能とを合わせ持つものである。片麻痺者用履物１１は自力で足に装着するのみで歩行または歩行訓練をより安定して行うことができる。また、この実施例の片麻痺者用履物１１は右足用であり、左足用はこれと左右対称に形成される。
【００２６】
なお、この実施例の片麻痺者用履物１１は運動靴であるが、本考案の片麻痺者用履物はこれに限定されるものではなく、履物であればどのようなものも本考案の範疇に包含される。ただし、歩行をより安定させるためには運動靴がより好ましい。
【００２７】
片麻痺者用履物を形成する材料としては、どのようなものでもよいが、布、ゴム・合成樹脂、革、さらにはこれらを組み合わせたもの等が好適に使用できる。
【００２８】
そして、本考案の片麻痺者用履物１１の特徴は、図６ないし図８に示すように、底部１２内側下面１２ａにおいて長手方向（履物の長さ方向）に沿って配され、底部１２が短手方向（履物の幅方向）の内側から外側に向かって徐々に高くなるように形成された傾斜部１３を有する点である。この傾斜部１３の存在により、図８に示すように、低廉かつ簡素な構造で片麻痺側上下肢Ｍの重心を内側に移動させることができ、これにより歩行を安定させることができるように構成されている。
【００２９】
この実施例の片麻痺者用履物１１における傾斜部１３は、図９または図１０に示した片麻痺者用履物装着具１４にて構成されている。片麻痺者用履物装着具１４は、片麻痺者用履物１１の底部１２内側上面１２ａに装着される片麻痺者用履物装着具であって、片麻痺者用履物１１の長手方向（履物の長さ方向）に沿って配され、短手方向（履物の幅方向）の内側から外側に向かって徐々に高く形成された長尺状体（装着具本体部１４ａ）にて構成されている。
【００３０】
具体的には、この実施例の片麻痺者用履物１１における傾斜部１３は、片麻痺者用履物装着具１４の剥離層１４ｃが、短手方向（履物の幅方向）の内側から外側に向かって徐々に高く形成された長尺状体（装着具本体部１４ａ）から剥離されて、装着具本体部１４ａの一面側に接着層１４ｂが露呈した状態で、片麻痺者用履物１１の底部１２内側上面１２ａに装着（固着）されることにより構成されている。
【００３１】
ただし、本考案の片麻痺者用履物における傾斜部は、これに限定されるものではなく、片麻痺者用履物の底部内側上面側において、底部に一体成形されると共に、片麻痺者用履物１１の長手方向（履物の長さ方向）に沿って配され、短手方向（履物の幅方向）の内側から外側に向かって徐々に高く形成された傾斜部が設けられたものも本考案の範疇に包含される。また、この実施例の片麻痺者用履物における傾斜部は、短手方向（履物の幅方向）の中央付近から外側に向かって徐々に高く形成された傾斜部にて構成されているが、これに限定されるものではなく、短手方向（履物の幅方向）の内側の端部付近から外側の端部付近に向かって徐々に高く形成された傾斜部にて構成されたものも本考案の範疇に包含される。
【００３２】
さらに、本考案の片麻痺者用履物における傾斜部は、上記実施例に限定されるものではなく、例えば、傾斜部が長手方向（履物の長さ方向）に複数分割されたものも本考案の範疇に包含される。
【００３３】
さらに、本考案の片麻痺者用履物装着具１１は、片麻痺者用履物１１の底部１２内側上面１２ａに接着剤層１４ｂにより固着するものであるが、装着方法（固定方法）はこれに限定されるものではなく、例えばビス止めやネジ部材により固定したものも本考案の範疇に広く包含される。
【００３４】
さらに、傾斜部（片麻痺者用履物装着具１４）の形成材料としては、片麻痺者用履物と同様、どのようなものでもよいが、布、ゴム・合成樹脂、革、さらにはこれらを組み合わせたもの等が好適に使用できる。
【符号の説明】
【００３５】
１        片麻痺者用履物
２        底部
２ａ      外側下面
３        傾斜部
４        片麻痺者用履物装着具
４ａ      装着具本体部
４ｂ      接着層  
４ｃ      剥離層
１１        片麻痺者用履物
１２        底部
１２ａ      内側上面
１３        傾斜部
１４        片麻痺者用履物装着具
１４ａ      装着具本体部
１４ｂ      接着層  
１４ｃ      剥離層
【図１】
0003229858.tif 000003
【図２】
0003229858.tif 000004
【図３】
0003229858.tif 000005
【図４】
0003229858.tif 000006
【図５】
0003229858.tif 000007
【図６】
0003229858.tif 000008
【図７】
0003229858.tif 000009
【図８】
0003229858.tif 000010
【図９】
0003229858.tif 000011
【図１０】
0003229858.tif 000012
【手続補正書】
【提出日】令和2年10月15日(2020.10.15)
【手続補正１】
【補正対象書類名】実用新案登録請求の範囲
【補正対象項目名】請求項７
【補正方法】変更
【補正の内容】
【請求項７】
前記長尺状体は、一面側に接着層と、該接着層を被覆した剥離層とを有している請求項６に記載の片麻痺者用履物装着具。